(57)【特許請求の範囲】
【請求項１】
駆動軸を有する搬送コンベアが内装されているフィーダハウスを、前記駆動軸の両端部に外嵌された２つの軸受により機体の前部に着脱自在に取付けてなるコンバインにおいて、前記軸受の１つの下部は、縦支軸及び該縦支軸が回転自在に挿嵌された軸支部により機体に対し回転自在に支持されており、前記１つの軸受の上部は、機体に着脱自在に取付けられていることを特徴とするコンバイン。
【請求項２】
駆動軸を有する搬送コンベアが内装されているフィーダハウスを、前記駆動軸の両端部に外嵌された２つの軸受により機体の前部に着脱自在に取付けてなるコンバインにおいて、前記軸受の１つの上部及び下部は、縦支軸及び該縦支軸が回転自在に挿嵌された軸支部により機体に対し回転自在に支持されていることを特徴とするコンバイン。
【発明の詳細な説明】
【０００１】
【発明の属する技術分野】
本発明は稲などの穀稈を脱穀するコンバイン、詳しくは機体の前部に、フィーダハウスを着脱自在に取付けて成るコンバインに関する。
【０００２】
【従来の技術】
従来、コンバインにおけるフィーダハウスは、前部と後部とを開放した略角筒状に形成され、内部に、前部回転輪及び後部回転輪間に掛設される無端帯から成る搬送コンベアを内装し、この搬送コンベアにおける駆動軸の各端部を左右両側方に突出させて、これら各端部を、機体の前部両側に上側取付ねじと下側取付ねじとで着脱可能に取付けられた左右一対の軸受に支持し、前記各取付ねじを弛緩して左右の軸受を外すことによりフィーダハウスを機体から取外すことができるように構成されている。
【０００３】
【発明が解決しようとする課題】
ところが、フィーダハウスは、金属板により略角筒状に形成されている上、内部には、前端部から後端部に亘って延びる搬送コンベアが内装されていて、全体の重量が大であるから、例えば機体の前部に臨む動力伝達系部分などの補修で機体の前部を開放したい場合とか、フィーダハウスの内部に穀稈が滞積したりして、フィーダハウスの機体側を開放したい場合など、フィーダハウスを機体から取外すとき、左右軸受を機体に取付けている全ての取付ねじを取外す必要があって、取外し作業が煩雑であるし、また、この取付ねじを取外すとき、フィーダハウスの荷重が取外し中の取付ねじに作用して、その取外が困難であった。
【０００４】
本発明は、フィーダハウスの既存の支持構造を利用して、フィーダハウスを取外すことなく、機体の前部及びフィーダハウスの機体側を開放することができるようにすることを主たる目的とする。
【０００５】
【課題を解決するための手段】
本発明は、上記目的を達成するために、請求項１記載の発明は、駆動軸を有する搬送コンベアが内装されているフィーダハウスを、前記駆動軸の両端部に外嵌された２つの軸受により機体の前部に着脱自在に取付けてなるコンバインにおいて、前記軸受の１つの下部は、縦支軸及び該縦支軸が回転自在に挿嵌された軸支部により機体に対し回転自在に支持されており、前記１つの軸受の上部は、機体に着脱自在に取付けられていることを特徴とする。
【０００８】
請求項２記載の発明は、駆動軸を有する搬送コンベアが内装されているフィーダハウスを、前記駆動軸の両端部に外嵌された２つの軸受により機体の前部に着脱自在に取付けてなるコンバインにおいて、前記軸受の１つの上部及び下部は、縦支軸及び該縦支軸が回転自在に挿嵌された軸支部により機体に対し回転自在に支持されていることを特徴とする。
【０００９】
【発明の作用効果】
請求項１記載の発明では、全ての軸受を取外さなくとも、軸受の他方を取外すことにより、フィーダハウスを、一方の軸受の縦支軸を支点として回転させることができ、この回転により機体の前部及びフィーダハウスの機体側を開放できるのである。しかも、フィーダハウスを支持する軸受を利用するから、一方の軸受部分を改良するだけで構成でき、コストを低減できるのである。
【００１２】
請求項２記載の発明では、回転自在の軸受を取付ねじなどで機体に固定することなく、フィーダハウスを機体に取付けることができるから、他方の軸受を取外してフィーダハウスを回転させるだけで、機体の前部及びフィーダハウスの機体側を簡易に開放できるのである。しかも、フィーダハウスを機体に対し回転させたときにおける回転自在軸受の耐強度を増大できるのである。
【００１３】
【発明の実施形態】
図３及び図４に示したコンバインは、機体１の前方に掻込リール４８を備えた汎用形のコンバインであって、クローラから成る左右の走行装置２，２により走行可能に支持された機体１の前部に、油圧昇降装置３により昇降可能な刈取装置４と、該刈取装置４により刈取られた穀稈を後方の脱穀室に搬送する搬送コンベア５をもつフィーダハウス６とを支持すると共に、機体１上に、前記搬送コンベア５で搬送された穀稈を脱穀室内で脱穀する回転自在のスクリュー形扱胴７１をもつ脱穀装置７と、この脱穀装置７で脱穀された穀粒を選別する揺動自在の揺動選別装置８と、この揺動選別装置８の揺動で選別処理された穀粒を貯溜する穀粒タンク９とを搭載し、この穀粒タンク９の前方に運転席１０及び運転操作部１１を、また、後方にエンジン１２をそれぞれ配置している。尚、フィーダハウス６と運転席１０及び運転操作部１１とは、機体１の前部に左右に並列状に配置している。
【００１４】
前記刈取装置４は、左右に対向する側板４１，４１と、これら側板４１，４１から前方に突出して未刈り穀稈を取り入れるヘッダー４２，４２とをもつプラットホーム４３と、このプラットホーム４３の前部に取付けて左右に往復動させる刈刃４４と、この刈刃４４の後方に回転自在に配設される掻込ドラム４５と、プラットホーム４３の上部にリール支持体４６，４６及び油圧シリンダ４７を介して上下昇降可能に支持された掻込リール４８とを備え、プラットホーム４３の後端部とフィーダハウス６の前端部とをボルトなどで着脱自在に連結している。
【００１５】
フィーダハウス６は、前部と後部とを開放した略角筒状に形成されており、また、このフィーダハウス６内の搬送コンベア５は、左右の前部回転輪５１，５１と左右の後部回転輪５２，５２との間に掛設される一対の伝動チェン５３，５３と、これら伝動チェン５３，５３間に架設された多数の搬送片５４・・とを備え、後部回転輪５２を、駆動軸５５・スプロケット５６・伝動チェンなどの動力伝達機構を介して前記エンジン１２に連動させ、搬送コンベア５を駆動するようにしている。
【００１６】
また、後部回転輪５２における駆動軸５５は、各端部をフィーダハウス６の左右両側壁６１，６１から外方に突出させて、これら各軸端部を、機体１に対し着脱可能に取付ける左右一対の軸受２０，２１の軸孔部に挿通支持し、各軸受２０，２１を介してフィーダハウス６を機体１の前部に着脱可能に取付けている。
【００１７】
実施形態では、左右一対の軸受２０，２１のうち、運転席側となる内側軸受２０は、従来と同様、軸孔２０ａ部に対し上部と下部とに取付孔２０ｂ，２０ｃをもち、これら上部取付孔２０ｂと下部取付孔２０ｃとに挿通する取付ねじ１３を、機体１の前部に設けられたねじ孔（図示せず）に緊締することにより、着脱自在に取付けるのであり、また、反運転席側となる外側軸受２１は、軸孔２１ａ部に対し下部に、下方に向かって垂下する縦支軸２２を一体に突設すると共に、上部に取付孔２１ｂを設け、この上部取付孔２１ｂに挿通する取付ねじ１４を、機体１の前部に設けられたねじ孔（図示せず）に緊締することにより、着脱自在に取付ける。
【００１８】
そして、機体１の前部で、反運転席側に、上方に開口する嵌合孔から成る軸支部３０をもつ受台３１を取付けて、この受台３１の軸支部３０に前記縦支軸２２を回転自在で、かつ挿脱可能に挿嵌支持するのである。
【００１９】
斯くして、フィーダハウス６の機体１側を開放する場合、内側軸受２０の各取付ねじ１３を弛緩し、内側軸受２０を取外すと共に、外側軸受２１の上部取付ねじ１４を弛緩することにより、フィーダハウス６を、外側軸受２１の縦支軸２２を支点として外側軸受２１と共に図１、図４の矢印方向に回転させることができ、この回転で機体１の前部及びフィーダハウス６の機体１側を大きく開放できるのである。また、搬送コンベア５の駆動軸５５を支持する軸受２０，２１の一方を、縦支軸２２を介して機体１に対し回転自在に支持するから、搬送コンベア５に支障を来すことなく、フィーダハウス６を回転させることができるのである。尚、フィーダハウス６と、該フィーダハウス６の側方に隣接する運転席１０及び運転操作部１１などとの間には、フィーダハウス６を外側軸受２１の縦支軸２２を支点として図４矢印方向に回転できる程度の隙間を設けるのであり、また、前記駆動軸５５の動力取入側端部（図２左側）は、スプロケット５６側と、軸受２０側とに分割して、この分割部間に、係脱自在の軸継手（図示せず）を設けて、フィーダハウス６を開放側に回転するときは、係合が離脱して動力の取入れを遮断し、フィーダハウス６を閉鎖側に回転するときは、係合して動力を取入れることができるようにしている。
【００２０】
また、フィーダハウス６を機体１から取外す場合は、前記したようにフィーダハウス６を回転させた後、該フィーダハウス６を若干持ち上げることにより、縦支軸２２の軸支部３０との係合を離脱でき、フィーダハウス６を機体１から取外すことができる。また、このフィーダハウス６における搬送コンベア５の駆動軸５５端部に支持した外側軸受２１の縦支軸２２を、受台３１の軸支部３０に挿嵌することにより、フィーダハウス６を機体１に支持でき、さらにこのフィーダハウス６を縦支軸２２を支点として外側軸受２１と共に回転して外側軸受２１の上部取付ねじ１４及び内側軸受２０の各取付ねじ１３を緊締することにより、フィーダハウス６を機体１に固定できるのである。
【００２１】
第２の実施形態は、図５に示すように、外側軸受２１における軸孔２１ａ部の上部と下部とに前記縦支軸２２，２２を一体に設けると共に、これら縦支軸２２，２２を回転自在に挿嵌支持する軸支部３０，３０をもつ受台３１を機体１の前部に設けるのである。
【００２２】
この実施形態では、内側軸受２０の取付ねじ１３を弛緩し、内状軸受２０を取外すことにより、フィーダハウス６を、外側軸受２１の縦支軸２２を支点として図４の矢印方向に回転させることができ、この回転で機体１の前部及びフィーダハウス６の機体１側を大きく開放できるのである。
【００２３】
尚、以上の実施形態では、軸受２１に縦支軸２２を設け、機体１側の受台３１に軸支部３０を設けたが、その反対に、軸受２１に嵌合孔から成る軸支部３０を設け、機体１側の受台３１に縦支軸２２を設けてもよい。また、縦支軸２２は、軸受２１又は受台３１と一体に形成する他、別個に形成して、例えば着脱可能に取付けるようにしてもよい。
【００２４】
また、以上の実施形態では、機体１の前部にフィーダハウス６と運転席１０及び運転操作部１１とを左右に並列状に配置したが、その他、運転席１０及び運転操作部１１を、フィーダハウス６に対し後方側に配置して、左右の軸受２０，２１の何れか一方を機体１に対し回転自在とし、この一方の軸受と共にフィーダハウス６を機体１に対し左側方又は右側方に回転させることができるようにしてもよい。
【図面の簡単な説明】
【図１】本発明コンバインにおけるフィーダハウスの後部の拡大斜視図。
【図２】同フィーダハウスの後部の断面図。
【図３】同コンバイン全体の側面図。
【図４】同コンバイン全体の平面図。
【図５】同別の実施例を示すフィーダハウス後部の拡大斜視図。
【符号の説明】
１    機体
６    フィーダハウス
２０，２１    軸受
２２    縦支軸
３０    軸支部
１４    取付ねじ
【図１】
0003588683.tif 000002
【図２】
0003588683.tif 000003
【図３】
0003588683.tif 000004
【図４】
0003588683.tif 000005
【図５】
0003588683.tif 000006